(57)【要約】【課題】可動障子をバールを用いて短時間にこじ開けできない上げ下げ窓とする。【解決手段】窓枠１に室内側障子１０（可動障子）を上下動自在に装着し、閉じ状態においてその室内側障子１０の下框１２の鉤形片１２ａと下枠３の立上り片３ｂが隙間を置いて相対向した上げ下げ窓において、前記窓枠１の左右の縦枠４間に跨って防犯用部材３０を取付け、この防犯用部材３０を前記隙間よりも室外寄りに位置させて隠蔽することで、前述の隙間にバールを差し込み難くして短時間でこじ開けできないようにする。【選択図】      図２
2005042370.tif 000002
【特許請求の範囲】
【請求項１】
窓枠に可動障子を上下動自在に装着し、閉じ状態において窓枠の閉じ側横枠室外側部と可動障子の閉じ側横框室外側部が隙間を置いて対向する上げ下げ窓において、
前記窓枠又は可動障子に、防犯用部材を、前記可動障子の閉じ側横框室外側部と窓枠の閉じ側横枠室外側部との隙間よりも室外寄りに位置して長手方向ほぼ全長に亘って取付けたことを特徴とする上げ下げ窓。
【請求項２】
窓枠の左右縦枠に跨って防犯用部材を取付けた請求項１記載の上げ下げ窓。
【請求項３】
左右縦枠の防犯用部材を取付けた部分を、縦枠補強金具で補強した請求項２記載の上げ下げ窓。
【請求項４】
可動障子の閉じ側横框に防犯用部材を、窓枠の閉じ側横枠に向かって突出して取付けた請求項１記載の上げ下げ窓。
【請求項５】
窓枠の閉じ側横枠に補助防犯用部材を、前記防犯用部材よりも室外寄りに位置し、かつ防犯用部材の突出端部よりも上方に突出して取付けた請求項４記載の上げ下げ窓。
【請求項６】
窓枠の閉じ側横枠に、その室外側部を補強する補強金具を取付けた請求項１〜５いずれか１つの上げ下げ窓。
【発明の詳細な説明】
【０００１】
【発明の属する技術分野】
本発明は、窓枠に可動障子を上下動自在に装着した上げ下げ窓に関する。
【０００２】
【従来の技術】
特許文献１に、窓枠に可動障子を上下動自在に装着した上げ下げ窓が開示されている。
【０００３】
【特許文献１】
特公平７−７２４６５号公報
【０００４】
【発明が解決しようとする課題】
前述したような上げ下げ窓においては、可動障子を閉じ状態で上下動しないようにロックする補助錠やクレセントなどを設け、室外から可動障子を上下動して開放できないようにしている。
しかし、バールを用いて無理に可動障子を短時間にこじ開けることで補助錠やクレセントを破壊することが可能であり、防犯上好ましくない。
【０００５】
例えば、窓枠の下枠室外側部と可動障子の下框室外部が閉じ状態で隙間を置いて相対向し、その隙間にバールを差し込み、無理にこじることで少しずつその隙間を広げることでバールの進入角度も大きくなり、やがて下枠と下框との間からバールが室内側まで突き抜ける。
一度突き抜けなければバールによるこじ開けの支点がバール先端から近いために強い力でこじ開ければ前述の補助錠やクレセントが破壊されてしまう。
【０００６】
本発明は、前述の課題に鑑みなされたものであって、その目的は、バールを用いて可動障子を短時間にこじ開けることを防止できるようにした上げ下げ窓を提供することである。
【０００７】
【課題を解決するための手段】
第１の発明は、窓枠に可動障子を上下動自在に装着し、閉じ状態において窓枠の閉じ側横枠室外側部と可動障子の閉じ側横框室外側部が隙間を置いて対向する上げ下げ窓において、
前記窓枠又は可動障子に、防犯用部材を、前記可動障子の閉じ側横框室外側部と窓枠の閉じ側横枠室外側部との隙間よりも室外寄りに位置して長手方向ほぼ全長に亘って取付けたことを特徴とする上げ下げ窓である。
【０００８】
第２の発明は、第１の発明において窓枠の左右縦枠に跨って防犯用部材を取付けた上げ下げ窓である。
【０００９】
第３の発明は、第２の発明において左右縦枠の防犯用部材を取付けた部分を、縦枠補強金具で補強した上げ下げ窓である。
【００１０】
第４の発明は、第１の発明において可動障子の閉じ側横框に防犯用部材を、窓枠の閉じ側横枠に向けて突出して取付けた上げ下げ窓である。
【００１１】
第５の発明は、第４の発明において窓枠の閉じ側横枠に補助防犯用部材を、前記防犯用部材よりも室外寄りに位置し、かつ防犯用部材の突出端部よりも上方に突出して取付けた上げ下げ窓である。
【００１２】
第６の発明は、第１〜第５のいずれか１つの発明において窓枠の閉じ側横枠に、その室外側部を補強する補強金具を取付けた上げ下げ窓である。
【００１３】
【作  用】
第１の発明によれば、窓枠の閉じ側横枠室外側部と可動障子の閉じ側横框室外側部との間の隙間よりも室外寄りに防犯用部材が位置し、この防犯用部材で前述の隙間が隠蔽されるので、前述の隙間にバールを差し込み難い。
よって、バールを用いて可動障子をこじ開けるのには長い時間がかかり、可動障子を短時間にこじ開けることを防止でき、防犯上好ましい。
【００１４】
第２の発明によれば、防犯用部材を左右の縦枠に跨って取付けるので、その取付け作業が容易である。
【００１５】
第３の発明によれば、左右縦枠に防犯用部材を強固に取付けできると共に、防犯用部材をこじった場合に縦枠が変形することがない。
【００１６】
第４の発明によれば、可動障子の閉じ側横框に防犯用部材を取付けたので、その可動障子の上下動とともに防犯用部材が上下に移動し、可動障子を開放状態とした時に防犯用部材が窓枠側に残存せずに可動障子とともに移動して目立つことがなく、見栄えが良い。
【００１７】
第５の発明によれば、可動障子の閉じ状態の時に室外から見ると、防犯用部材と補助防犯用部材が見えて各室外側部間の隙間が全く見えないので、バールを用いて故意にこじ開けようとした場合には、防犯用部材と補助防犯用部材との間にバールを差し込むことになり、可動障子を短時間にこじ開けることを確実に防止できる。
【００１８】
第６の発明によれば、窓枠の閉じ側横枠の室外側部が補強金具で補強され、バールを用いてこじ開けようとした時に、その室外側部が変形し難くなるので、バールを用いて可動障子を短時間にこじ開けることが確実に防止できる。
【００１９】
【発明の実施の形態】
本発明の第１の実施の形態を説明する。
図１に示すように、窓枠１には室内側障子１０と室外側障子２０が装着してある。
前記室内側障子１０は、窓枠１の室内寄りに上下動自在に装着され、この室内側障子１０が可動障子である。
前記室外側障子２０は、窓枠１の室外寄り上部に固定され、この室外側障子２０は固定障子である。
これによって、片上げ下げ窓を形成している。
なお、室外側障子２０を室外寄り下部に固定して片上げ下げ窓としても良いし、室内側障子１０と室外側障子２０を同期して上下動するようにして両上げ下げ窓としても良い。
【００２０】
前記窓枠１は上枠２と下枠３と左右の縦枠４を方形枠状に連結したもので、建物壁体５の開口部５ａに取付けられる。
例えば、上枠２、下枠３、縦枠４は取付フランジ６を備え、この各取付フランジ６を固着具７で建物壁体５に固着して取付ける。
【００２１】
前記室内側障子１０は上框１１、下框１２、左右の縦框１３を方形状に連結し、その内部にガラス１４が装着してある。
前記室外側障子２０は上框２１、下框２２、左右の縦框２３を方形状に連結し、その内部にガラス２４が装着してある。
前記室内側障子１０は下方に移動することで下框１２が窓枠１の下枠３に接して閉じ状態となる。つまり、この実施の形態では下框１２が可動障子の閉じ側横框で、下枠３が窓枠１の閉じ側横枠である。
【００２２】
なお、室外側障子２０を室外寄り下部に固定した片上げ下げ窓の場合には、室内側障子１０を上方に移動することで、その上框１１が上枠２に接して閉じ状態となり、この場合には、上框１１が可動障子の閉じ側横框で、上枠２が窓枠１の閉じ側横枠である。
また、室内・外側障子１０，２０を上下動自在として両上げ下げ窓の場合には、室内側障子１０の下框１２、室外側障子２０の上框２１が可動障子の閉じ側横框で、上枠２、下枠３が窓枠１の閉じ側横枠である。
【００２３】
前述の上げ下げ窓の具体形状を図２〜図４に基づいて説明する。
前記上枠２は図２に示すように、その室外側寄りに２つの垂下片２ａ，２ｂが一体的に設けてあり、この２つの垂下片２ａ，２ｂで室外側障子２０の上框２１を形成している。つまり、上枠２が室外側障子２０の上框２１を兼用している。
前記縦枠４には図３、図４に示すように、室外側障子２０の縦框２３が取付けてあり、室外側障子２０の下框２２は縦框２３の下端部間に横架連結してある。
なお、室外側障子２０を室内側障子１０と同様に各框を連結した形状とし、その各框を上枠２、縦枠４にビスなどの固着具で固着しても良い。
【００２４】
前記下枠３は図２に示すように、上面３ａに複数の立上り片３ｂを有し、その室内外側方向に離隔した２つの立上り片３ｂ間に上向きのコ字状の凹陥部３ｃを形成している。
そして、室内外側方向中間に位置する１つの立上り片３ｂが前述した窓枠１の閉じ側横枠の室外側部である。
この１つの立上り片３ｂには下横気密材３ｄが装着してある。好ましくは上向きに装着してある。
【００２５】
前記室内側障子１０の下框１２は図２に示すように、室外側下端部に鉤形片１２ａを備え、この鉤形片１２ａが下枠３の１つの立上り片３ｂと相対向して下横気密材３ｄに圧接する。前記鉤形片１２ａが前述の可動障子の閉じ側横框における室外側部である。そして、この立上り片３ｂと前記下框１２の鉤形片１２ａが、閉じ状態において隙間を置いて相対向する。
【００２６】
このような上げ下げ窓であるから、下枠３の立上り片３ｂと下框１２の鉤形片１２ａとの間の隙間にバールの先端部を差し入れ、無理にこじることで鉤形片１２ａと立上り片３ｂが順次変形し、バールの先端部が短時間に室内側の立上り片３ｂまで達し、そのバールで室内側障子１０を短時間で押し上げるようにしてこじ開けでき、それによって、クレセント８や補助錠９が破壊してしまうから防犯上好ましくない。
前記クレセント８は室内側障子１０の上框１１と室外側障子２０の下框２２とに亘って取付けられる。前記補助錠９は室内側障子１０の上框１１の左右両側に取付けられ、摘み９ａでロッド９ｂを左右に移動して縦枠４に取付けたブロック９ｃの穴に挿入・抜き出しする。
【００２７】
本発明は、窓枠１又は可動障子に、防犯用部材を、可動障子の閉じ側横框室外側部（例えば、前述の下框１２の鉤形片１２ａ）と窓枠１の閉じ側横枠室外側部（例えば、下枠３の立上り片３ｂ）との間の隙間よりも室外寄りに位置するように長手方向ほぼ全長に亘って取付け、その隙間を隠蔽することで、バールを差し込み難くし、バールを用いて可動障子を短時間にこじ開けることを防止するようにした。
【００２８】
例えば、図１に示すように左右の縦枠４の下端部間に跨って防犯用部材３０を取付け、この防犯用部材３０を閉じ状態の室内側障子１０における下框１２の鉤形片１２ａと下枠３の立上り片３ｂとの間の隙間よりも室外寄りに位置させ、下框１２の鉤形片１２ａと下枠３の立上り片３ｂとの間の隙間を隠蔽して、その隙間にバールを差し込み難くする。好ましくは差し込みできないようにする。
【００２９】
前述の防犯用部材３０の取付けの一例を具体的に説明する。
縦枠４に縦枠補強金具３１を設け、この縦枠補強金具３１と縦枠４を挿通した固着具３２を防犯用部材３０に螺合して取付ける。
このように取付けることで、縦枠４が縦枠補強金具３１で補強されるので、その防犯用部材３０が強固に取付けられると共に、その防犯用部材３０自体をこじった場合に縦枠４が変形することがなく、防犯用部材３０が縦枠４とともに変形することがない。
【００３０】
前記縦枠補強金具３１は一側片３１ａと他側片３１ｂでＬ字形状で、縦枠４の外面と取付片６とに亘って接し、その一側片３１ａから固着具３２（例えば、防犯用ねじ）を縦枠４を挿通して防犯用部材３０に螺合して取付けることで、前記他側片３１ｂが取付片６に接する。この取付片６を建物壁体５に固着する固着具７で、他側片３１ｂを取付片６に固着するようにしても良い。
この縦枠補強金具３１はＬ字形状は限ることはなく、一側片３１ａのみでＩ字形状としても良い。
【００３１】
前記防犯用部材３０は、コ字状の本体３０ａの長手方向両端部に折曲片３０ｂを備えた板金製で、その折曲片３０ｂにねじ孔３０ｃが形成してあり、このねじ孔３０ｃに前記固着具３２が螺合する。
この防犯用部材３０は縦枠４、下框１２よりも高強度の材質とすることが好ましい。
例えば、アルミ製の縦枠４、下框１２の場合には防犯用部材３０をスチール製とする。
前記防犯用部材３０はコ字状に限ることはなく、中空長尺材、例えば矩形断面の中空アルミ形材としても良いし、その中空長尺材の内部にスチール製の補強材を挿入したものでも良い。
【００３２】
また、本発明においては、窓枠１の閉じ側横枠に補強金具４０を取付けて補強し、仮りにバールが差し込まれて無理にこじった場合に、その閉じ側横枠の室外側部（例えば、下枠３の立上り片３ｂ）が変形し難くしている。
例えば、前記補強金具４０は横片４１と室内側縦片４２と室外側縦片４３で上向きコ字形状の断面形状で、前記下枠３の凹陥部３ｃ内に嵌まり込むようにして仮取付けされ、その室外側縦片４３を１つの立上り片３ｂにビス４４で固着して取付ける。
この補強金具４０は下枠３よりも高強度の材質とすることが好ましい。
例えば、下枠３がアルミ製の場合には補強金具４０をスチール製とする。
前記補強金具４０はコ字形状の断面形状に限ることはなく、Ｌ字形状の断面形状でも良い。
【００３３】
次に、本発明の第２の実施の形態を説明する。
この実施の形態は、防犯用部材を可動障子の閉じ側横框の室外側面に、その室外側部を覆うように取付けたことが第１の実施の形態と相違し、上げ下げ窓の形状は同一である。
例えば、図５〜図７に示すように、室内側障子１０の下框１２の室外側面１２ｂに防犯用部材５０を取付け、この防犯用部材５０で鉤形片１２ａを覆うことで、鉤形片１２ａと立上り片３ｂとの間の隙間を隠蔽する。
具体的には、防犯用部材５０は取付片５１と鉤片５２でクランク形状で、その取付片５１が下框１２の室外側面１２ｂに固着具、好ましくは防犯ビス５３で固着して取付けられ、その鉤片５２が鉤形片１２ａの上面・室外側面に接するようにして鉤形片１２ａよりも下方まで突出している。つまり、この防犯用部材５０は下枠３に向けて突出している。
下枠３の立上り片３ｂ（窓枠１の閉じ側横枠の室外側部）は下框１２の鉤形片１２ａよりも室内側寄りで、前記防犯用部材５０（鉤片５２）は鉤形片１２ａよりも室外側に位置している。
【００３４】
このようであるから、下框１２の鉤形片１２ａと下枠３の立上り片３ｂとの間にバールを差し込みしようとした場合に、防犯用部材５０が邪魔になって差し込みずらくなる。
この場合、防犯用部材５０と下枠３の上面３ａとの間の隙間を小さくすることで、より一層バールを差し込みずらくなる。
【００３５】
この実施の形態では、下枠３に補助防犯用部材６０を取付け、この補助防犯用部材６０を防犯用部材５０よりも室外寄りに位置させ、かつ防犯用部材５０の下端部（突出端部）よりも上方に突出している。これによって、室外から見た時にこの補助防犯用部材６０と防犯用部材５０が見え、下枠３の立上り片３ｂと下框１２の鉤形片１２ａが見えないようにしてある。
【００３６】
このようであるから、バール用いて室内側障子１０をこじ開けようとした場合に、そのバールを防犯用部材５０と補助防犯用部材６０との間に差し込むことになるので、こじ開けることは大変困難で防犯上好ましい。
【００３７】
前記補助防犯用部材６０は、室内側縦片６１と横片６２と室外側縦片６３で断面ほぼ上向きコ字形状で、その室外側縦片６１が下枠３の立上り片３ｂの室外側面に固着具、例えば防犯ビス６４で固着され、この室内側縦片６１と室外側縦片６３との間に防犯用部材５０の端部が突出している。
この実施の形態では室内側縦片６１が室外側縦片６３よりも長く、その室内側縦片６１を取付ける際に室外側縦片６３が邪魔にならないようにしてある。
これに限ることはなく、室内側縦片６１と室外側縦片６３を同一長さとしても良いし、室外側縦片６３を長くしても良い。
【００３８】
前記防犯用部材５０、補助防犯用部材６０は下框１２、下枠３よりも高強度であることが好ましい。
例えば、下框１２、下枠３がアルミ製の場合にスチール製とすることが好ましい。
【００３９】
また、この実施の形態では下枠３に補強金具４０が前述と同様に取付けてあり、その室外側縦片４３に固着具６４が螺合され、その室外側縦片４３が補助防犯用部材６０を取付ける裏板の役目を兼用している。
【００４０】
【発明の効果】
請求項１に係る発明によれば、窓枠の閉じ側横枠室外側部と可動障子の閉じ側横框室外側部との間の隙間よりも室外寄りに防犯用部材が位置し、この防犯用部材で前述の隙間が隠蔽されるので、前述の隙間にバールを差し込み難い。
よって、バールを用いて可動障子をこじ開けるのには長い時間がかかり、可動障子を短時間にこじ開けることを防犯でき、防犯上好ましい。
【００４１】
請求項２に係る発明によれば、防犯用部材を左右の縦枠に跨って取付けるので、その取付け作業が容易である。
【００４２】
請求項３に係る発明によれば、左右縦枠に防犯用部材を強固に取付けできると共に、防犯用部材をこじった場合に縦枠が変形することがない。
【００４３】
請求項４に係る発明によれば、可動障子の閉じ側横框に防犯用部材を取付けたので、その可動障子の上下動とともに防犯用部材が上下に移動し、可動障子を開放状態とした時に防犯用部材が窓枠側に残存せずに可動障子とともに移動して目立つことがなく、見栄えが良い。
【００４４】
請求項５に係る発明によれば、可動障子の閉じ状態の時に室外から見ると、防犯用部材と補助防犯用部材が見えて各室外側部間の隙間が全く見えないので、バールを用いて故意にこじ開けようとした場合には、防犯用部材と補助防犯用部材との間にバールを差し込むことになり、可動障子を短時間にこじ開けることを確実に防止できる。
【００４５】
請求項６に係る発明によれば、窓枠の閉じ側横枠の室外側部が補強金具で補強され、バールを用いてこじ開けようとした時に、その室外側部が変形し難くなるので、バールを用いて可動障子を短時間にこじ開けることが確実に防止できる。
【図面の簡単な説明】
【図１】本発明の第１の実施の形態を示す上げ下げ窓の概略外観図である。
【図２】図１のＡ−Ａ詳細断面図である。
【図３】図１のＢ−Ｂ詳細断面図である。
【図４】図１のＣ−Ｃ詳細断面図である。
【図５】本発明の第２の実施の形態を示す上げ下げ窓の概略外観図である。
【図６】図５のＤ−Ｄ詳細断面図である。
【図７】図５のＥ−Ｅ詳細断面図である。
【符号の説明】
１…窓枠、３…下枠（窓枠の閉じ側横枠）、３ｂ…立上り片（室外側部）、４…縦枠、１０…室内側障子（可動障子）、１２…下框（可動障子の閉じ側横框）、１２ａ…鉤形片（室外側部）、３０…防犯用部材、３１…縦枠補強金具、４０…補強金具、５０…防犯用部材、６０…補助防犯用部材。
【図１】
2005042370.tif 000003
【図２】
2005042370.tif 000004
【図３】
2005042370.tif 000005
【図４】
2005042370.tif 000006
【図５】
2005042370.tif 000007
【図６】
2005042370.tif 000008
【図７】
2005042370.tif 000009